(57)【要約】      （修正有）【課題】プラズマ処理によるレジストマスクの倒れを防止した半導体装置の製造方法を提供する。【解決手段】有機材料のマスクを有する試料をプラズマ処理する工程を有する半導体製造方法において、前記プラズマ処理が、フッ素、酸素、窒素のいずれか又は全てを含むガスによりプラズマ処理する第１の工程と、フッ素、酸素、窒素のいずれも含まずに希ガスを含むガスにより前記プラズマ処理する第２の工程を有し、前記第１の工程と前記第２の工程を繰り返すことを特徴とする半導体装置の製造方法。【選択図】図１１
2010283095.tif 000002
【特許請求の範囲】
【請求項１】
有機材料のマスクを有する試料をプラズマ処理する工程を有する半導体製造方法において、
前記プラズマ処理が、フッ素、酸素、窒素のいずれか又は全てを含むガスによりプラズマ処理する第１の工程と、
フッ素、酸素、窒素のいずれも含まずに希ガスを含むガスにより前記プラズマ処理する第２の工程を有し、
前記第１の工程と前記第２の工程を繰り返すことを特徴とする半導体装置の製造方法。
【請求項２】
請求項1に記載の半導体装置の製造方法において、
前記第１の工程の時間が２秒以上１５秒以下であることを特徴とする半導体装置の製造方法。
【請求項３】
請求項1に記載の半導体装置の製造方法において、
前記プラズマ処理の最終工程が前記第2の工程であることを特徴とする半導体装置の製造方法。
【請求項４】
請求項１に記載の半導体装置の製造方法において、
前記マスク材料がフォトレジストであることを特徴とする半導体装置の製造方法。
【請求項５】
請求項１に記載の半導体装置の製造方法において、
前記マスクのアスペクト比（高さ／幅）が、2以上で、パターン寸法が100nm以下であることを特徴とする半導体装置の製造方法。
【請求項６】
有機材料のマスクを有する試料をプラズマにより処理する工程を有する半導体装置の製造方法において、
前記プラズマ処理が、有機膜に応力を発生させる第１のステップと、
前記応力を緩和する第２のステップを有し、
前記第１のステップと前記第2のステップを交互に繰り返すことを特徴とする半導体装置の製造方法。
【請求項７】
請求項６に記載の半導体装置の製造方法において、
前記第１のステップの時間が２秒以上１５秒以下であることを特徴とする半導体装置の製造方法。
【請求項８】
請求項６に記載の半導体装置の製造方法において、
前記プラズマ処理の最終工程が前記第2のステップであることを特徴とする半導体装置の製造方法。
【請求項９】
請求項６に記載の半導体装置の製造方法において、
前記マスク材料がフォトレジストであることを特徴とする半導体装置の製造方法。
【請求項１０】
請求項６に記載の半導体装置の製造方法において、
前記マスクのアスペクト比（高さ／幅）が、2以上で、パターン寸法が100nm以下であることを特徴とする半導体装置の製造方法。
【発明の詳細な説明】
【技術分野】
【０００１】
半導体装置の製造方法に係わり、特に有機材料のマスクを用いて被エッチング膜をプラズマエッチングする場合のマスク倒れ防止方法に関する。
【背景技術】
【０００２】
特許文献１には、エッチングによってレジストパターンを縮小化した後、ハードマスク、および、ゲート電極を加工する方法が開示されている。この方法の詳細を図2A〜図2Eにて説明する。この方法では、まず、第1のステップでは、シリコン基板上1に酸窒化シリコン2、多結晶シリコン3、シリコン酸化膜4、有機反射防止膜5、レジスト膜6を成膜する（図2A）。次に、第2のステップでは、露光・現像によってラインアンドスペース（L&S）のパターンのレジストマスク7を形成する（図2B）。次に、第3のステップでは、O2を含むガスのプラズマによって、レジストマスク7に沿って有機反射防止膜5をエッチングすることによりL&Sパターン48を形成する（図2C）。この際、Oラジカルによりレジストマスクが縮小化されるため、露光・現像により形成されるレジストマスクよりも微細な寸法のマスクを形成できる効果がある。次に、第4のステップでは、このパターン48をマスクとして、CF4ガスのプラズマによってシリコン酸化膜4をエッチングすることによって、ハードマスク44を形成する（図2D）。最後に、第5のステップで、ハードマスク44をマスクとして、多結晶シリコン3をエッチングすることによって、ゲート電極43を形成する（図2E）。また、特許文献１では、第3のステップに硫黄(S)を含むガスを添加して、レジストマスク7の側面に保護膜となるポリマーを作成して、レジストマスク7の変形、倒れを防止する方法が開示されている。
【０００３】
また、レジストの変形・倒れを防止するための方法としては、酸素やフロロカーボンなどの反応性ガスを希釈するガスとしてXeを使用する方法が特許文献2に開示されている。
【０００４】
また、レジストの変形・倒れとは直接関係ないが、レジストマスクによりハードマスクを用いてMRAMに使用される多層膜の電極材料をエッチングする際に、頂上電極層をフッ素含有ガスでエッチングした後、下層の電極材料を層毎に塩素含有ガスと希ガスを交互に繰り返すことによって、金属膜の側面の堆積物を除去する方法が特許文献3に開示されている。
【先行技術文献】
【特許文献】
【０００５】
【特許文献１】特開2004-152784
【特許文献２】特表2006-517743
【特許文献３】特開2004-349687
【発明の概要】
【発明が解決しようとする課題】
【０００６】
本発明は、実デバイス構造に適したレジストマスクの変形・倒れの防止方法である。実際のデバイス構造では図3Aに示すように、隣り合うレジストマスク同士の間隔が左右で異なっている。そのため、例えば特許文献１のように硫黄を含むガスを用いてレジストマスク7の側面に保護膜49を形成する場合、間隔が広い側Aでは厚い保護膜が形成されるのに対して、間隔が狭い側Bには薄い保護膜しか形成されない（図3B）。保護膜の薄い側に比べて厚い側の方が強い引張り応力を発生させるため、間隔の広い側Bにレジストマスク7が変形する問題があった。
【０００７】
また、特許文献2に開示されている方法では、レジストマスク7の変形・倒れが生じないレベルまで反応性ガスを希釈すると、反応性ガスによる被エッチング材料のエッチング速度やマスクとの選択性が大幅に低下する問題やレジストマスクが十分に縮小化できない問題があった。
【０００８】
また、特許文献3では、レジストマスクのアスペクト比（縦横比）が小さいため問題とはなっていないが、アスペクト比の高い微細なレジストマスクを用いた場合、頂上電極エッチング中にレジストマスクの変形・倒れが生じてしまい、その後のエッチング形状が所望の形状にならない問題が顕在化してしまう。
【０００９】
本発明者らは、プラズマ処理中に、レジストマスクの変形・倒れが生じる原因を調べた。その結果、図４に示すようなメカニズムが明らかになった。Oなどの反応性ラジカルを用いてプラズマ処理する場合、図４Bに示すように、レジスト表面にグラファイトカーボンを主成分とする変質層50および51が形成されることがわかった。また、この変質層は強い引っ張り応力を有することもわかった。このため、例えば、図４Aのようにレジストマスク同士の間隔が左右で異なる場合は、間隔の広い側面Aには厚い変質層が、間隔の狭い側面Bには薄い変質層が形成され、変質層の厚い側面A側に生じる強い引っ張り応力によって、レジストマスクが倒れることがわかった。
【００１０】
また、図5Aのようにレジストマスクパターンの左右のスペースが広く開いているような場合に、図5Bのようにプラズマ中のOラジカル密度が不均一になっていると、Oラジカル密度の高い側には厚い変質層が、密度の低い側には薄い変質層が形成される。このため図5Cに示すように変質層の厚みの厚い側にレジストが倒れることがわかった。同様の変質層を発生させる反応性ラジカルとしてはFやNがあることもわかった。
【課題を解決するための手段】
【００１１】
上記メカニズムに基づき、発明者らは、レジスト倒れを抑制するための方法として、変質層の応力を緩和すること手法を検討した。その結果、He,Ar,Kr,Xeなどの希ガスから生成されるラジカルに変質層の応力を緩和する作用があることがわかった。また、応力緩和のタイミングについても検討し、応力がレジスト材料の機械強度よりも大きくなる前に、応力を緩和する必要があることを見出した。このタイミングは100nmのラインアンドスペースパターンで15sであり、今後、半導体デバイスの微細化によって、パターン寸法が100nm以下になると、15sよりさらに短くなる。また、反応性ガスと応力緩和用のガスの切換には、2s以上が必要であることもわかった。
【００１２】
以上の結果から、レジストマスク倒れを防止するためには、F,O,Nを含むガスのプラズマによる処理を複数のステップに分割して、各ステップの処理時間を2s以上15s以下にするとともに、各ステップの間に2s以上の希ガスプラズマによる応力緩和の処理を行えばよいことがわかった。
【００１３】
具体的には、以下の方法によって解決される。
【００１４】
まず、有機材料のマスクを有する試料をプラズマ処理する工程を有する半導体製造方法において、前記プラズマ処理が、フッ素、酸素、窒素のいずれか又は全てを含むガスによりプラズマ処理する第１の工程と、フッ素、酸素、窒素のいずれも含まずに希ガスを含むガスにより前記プラズマ処理する第２の工程を有し、前記第１の工程と前記第２の工程を繰り返すことを特徴とする半導体装置の製造方法である。
【００１５】
さらに、前記第１の工程の時間が２秒以上１５秒以下であることを特徴とする半導体装置の製造方法である。
【００１６】
さらに、前記プラズマ処理の最終工程が前記第2の工程であることを特徴とする半導体装置の製造方法である。
【００１７】
さらに、前記マスク材料がフォトレジストであることを特徴とする半導体装置の製造方法である。
【００１８】
さらに、前記マスクのアスペクト比（高さ／幅）が、2以上で、パターン寸法が100nm以下であることを特徴とする半導体装置の製造方法である。
【００１９】
また、有機材料のマスクを有する試料をプラズマにより処理する工程を有する半導体装置の製造方法において、前記プラズマ処理が、有機膜に応力を発生させる第１のステップと、前記応力を緩和する第２のステップを有し、前記第１のステップと前記第2のステップを交互に繰り返すことを特徴とする半導体装置の製造方法である。
【００２０】
さらに、前記第１のステップの時間が２秒以上１５秒以下であることを特徴とする半導体装置の製造方法である。
【００２１】
さらに、前記プラズマ処理の最終工程が前記第2のステップであることを特徴とする半導体装置の製造方法である。
【００２２】
さらに、前記マスク材料がフォトレジストであることを特徴とする半導体装置の製造方法である。
【００２３】
さらに、前記マスクのアスペクト比（高さ／幅）が、2以上で、パターン寸法が100nm以下であることを特徴とする半導体装置の製造方法である。
【発明の効果】
【００２４】
F,O,Nを含むガスのプラズマ処理によるレジストマスクの倒れを防止できる。
【図面の簡単な説明】
【００２５】
【図１】変質層除去後の倒れ角と1stepのレジスト縮小化処理の時間
【図２】通常のゲート電極加工の工程
【図３】硫黄系保護膜によるレジストマスク倒れ発生機構
【図４】レジストの変質層によるレジストマスク倒れの発生機構（最外周パターン）
【図５】レジストの変質層によるレジストマスク倒れの発生機構（ラジカル不均一）
【図６】実施例１で使用したマイクロ波プラズマエッチング装置
【図７】マスク倒れに対するマスクアスペクト比の影響
【図８】マスク倒れ角とアスペクト比の関係
【図９】レジスト縮小化と変質層除去のタイムチャート
【図１０】図９のタイムチャートの場合のレジストマスク形状の時間変化
【図１１】本発明のレジスト縮小化と変質層除去のタイムチャート
【図１２】図１１のタイムチャートの場合のレジストマスク形状の時間変化
【図１３】レジスト応力と1stepのレジスト縮小化処理の時間
【図１４】種々の処理条件（表１、表２、表３）
【図１５】種々の処理条件（表４、表５）
【発明を実施するための形態】
【実施例１】
【００２６】
本実施例では、ガスを高速に切換えるために図6に示す構造の装置を用いた。
【００２７】
図6の装置では、処理ガスがガス供給ユニット16から、処理ガスライン8および石英製の誘電体窓26の内部に作られたガス貯め10を経て、誘電体窓26の減圧処理室側に設けられた複数の穴11（シャワープレート構造）から、減圧処理室内に導入される。また、マグネトロン53で生成されたマイクロ波が導波管54、空洞共振部55、誘電体窓26を経て、減圧処理室内に供給される構造になっており、このマイクロ波と、コイル56の作る磁場の相互作用によってプラズマ17を生成する構造になっている。
【００２８】
このプラズマ17をウエーハステージ18に載置されたウエハ21に照射して、ウエハを処理する。ウエーハステージ18には、ＲＦ電源29が接続されており、例えば13.56MHzのRF電力を印加することによって、効率的にウエハ21を処理することができる。また、減圧処理室20の圧力はターボ分子ポンプ22および圧力制御用可変バルブ23によって調整することができる。圧力は可変バルブ23の上方に取り付けたキャパンシタンスマノメータ24によって測定され、この値を可変バルブ23の開度にフィードバック制御することによって圧力を所望の値に維持することができる。
【００２９】
処理室側面には石英窓30が設けられており、ここに光ファイバ27を介して分光システム28が接続されており、プラズマ発光を分析して、条件切換えのタイミングを判断することができる。分光システム28からの条件切替え指示に基づき、コンピュータ25が、ガス供給ユニット16を始めとする装置各ユニットに次の条件を指示する構造になっている。
【００３０】
ガス供給ユニット16内部では、O2ガス101およびArガス111がMFC102および112とバルブ103,113を介して、処理ガスライン8に接続されている。
【００３１】
さらに、MFC102および112とバルブ103および113の間には排気用のガスライン105および115が設けられており、それぞれにバルブ104,114を介して、排ガスライン9に接続されている。この排ガスライン9は、ターボ分子ポンプ（排気手段）22と、その背圧排気用のドライポンプ60の間をつなぐ配管６１に接続されている。
【００３２】
この装置で、処理ガスをO2ガス101とArガス111の混合ガスからArガス111単体に切換える場合の操作を説明する。O2ガス101とArガス111の混合ガスのステップでは、排ガスライン9に接続されたバルブ104および114が閉じ、処理ガスライン8に取り付けられたバルブ103および113が開いており、MFC102およびMFC112から所望の流量のガスが減圧処理室20に供給されている状態である。ガス111のみのステップに切替える際には、バルブ104を開き、バルブ103を閉じる。これによって、O2ガス101は処理室には流れず、Arガス111のみが処理室に供給される。次に、再びO2ガス101とArガス111の混合ガスのステップに切換える際には、バルブ103を開け、104を閉止する。このような処理を繰り返すことによって、O2ガスとArガスの混合ガスのステップとArガス単体のステップを高速に切換えることができる。
【００３３】
まず、この装置を用いてO2ガスとArガスの混合ガスのプラズマによって、表１の処理条件によって、様々な高さのレジストマスクを20s間処理してレジストマスクの縮小化を行った。このときの加工形状の例を図7に示す。図7Aに示すアスペクト比1.0のパターンではレジストマスクの倒れがほとんど発生しないのに対して、図7Bのアスペクト比2.0や図7Cのアスペクト比3.5のパターンではラインアンドスペースパターンの最外周のレジストマスクが右側に15°倒れていることがわかる。このマスクの倒れ角とアスペクト比の関係を図8に示す。アスペクト比1.0以下ではマスクの倒れは生じないが、1.0以上になると急激に倒れが増加していることがわかる。すなわち、マスク倒れは、アスペクト比1.0以上のマスクで発生する問題であることがわかる。
【００３４】
このマスク倒れの問題を解決するため、O2とArの混合ガスのプラズマ処理によってレジスト縮小化を行った後に、希ガスのプラズマによる応力緩和の処理を行いマスクの倒れを防止する方法を試みた。
【００３５】
試料としては、図10Aに示すアスペクト比5.5の100nmラインアンドスペースパターンのレジストマスクの試料を用いて、レジストマスクの縮小化処理を行った。まず、表2の条件に示すように、ステップ１においてO2とArの混合ガスのプラズマによる縮小化処理を連続30s間行った後、ステップ2においてArガス単体のプラズマによって応力緩和の処理を5sの間行った。処理中のマイクロ波電力およびガス流量の時間変化を図9に示す。まず、ステップ１を開始する5s前に所望の流量のO2ガスとArガスを流す。次にステップ１開始のタイミングAにおいて、マイクロ波電力を投入してプラズマを発生させ、縮小化処理を開始する。つづいて、ステップ２の開始のタイミングBでO2ガスを止めると同時にArの流量を増やし、Arガスのみの処理に切替えた。ただし、タイミングB以降も2s程度はO2ガスの流量が0にならないため、実際の応力緩和処理の開始はO２ガス流量が0sccmになるB’のタイミングである。最後に、ステップ2終了のタイミングCでマイクロ波電力を0Wにしてプラズマ放電をoffし、応力緩和処理を終了する。
【００３６】
この連続処理において、縮小化処理終了時のタイミングB’におけるレジスト形状は、図10Bに示ように、ラインアンドスペースの最外周のパターンが大きく右に傾いていることがわかる。また、応力緩和終了時のタイミングCにおけるレジスト形状は図10Cに示すように、倒れが軽減されるものの垂直には戻らず、倒れ角12°の傾きが残った。このように、ステップ１とステップ２を行うことで倒れ角を軽微なものとすることができる。
【００３７】
つぎに、表3の条件に示すように、15s間の縮小化処理と5s間の応力緩和の処理を交互に２回ずつ行った。処理中のマイクロ波電力およびガス流量の時間変化を図11に示す。まず、ステップ１を開始する5s前に所望の流量のO2ガスとArガスを流す。次にステップ１開始のタイミングAにおいて、マイクロ波電力を投入してプラズマを発生させ、O2とArの混合ガスのプラズマによる縮小化処理を開始する。つづいて、ステップ2の開始のタイミングBでO2ガスを止めると同時にArの流量を増やし、Arガスのみの処理に切替えて応力緩和処理を行う。この場合も、実際の応力緩和処理の開始はO2ガス流量が0sccmになるB’のタイミングである。次に、ステップ2終了のタイミングCで、再びO2ガスを流し始めると同時にAr流量を減らして、O2とArの混合ガスのプラズマによる縮小化処理を再開する。この場合、タイミングCからO2が流れはじめるため、縮小化処理自身は開始されるが、O2流量が所望の値に到達するのには約2s要するため、安定的な縮小化処理が行えるのはO2流量が定常値に達するタイミングC’以降である。つぎに、ステップ3開始のタイミングDで、でO2ガスを止めると同時にArの流量を増やし、Arガスのみの処理に切替えた。この場合も実際の応力緩和処理の開始はタイミングD’である。最後に、ステップ4終了のタイミングでマイクロ波電力を0Wにしてプラズマ放電をoffし、応力緩和処理を終了する。
【００３８】
この場合の1回目の縮小化処理直後、１回目の応力緩和処理直後、2回目の縮小化処理直後、2回目の応力緩和処理直後の各レジスト形状をそれぞれ図12B、図12C、図12D、図12Eに示す。レジストは縮小化処理のステップで倒れて、応力緩和のステップで垂直に戻ることを繰り返して、最終的にほぼ垂直形状を維持することがわかった。このO2処理の1stepの時間と応力緩和後のレジストマスクの倒れ角の関係を図1に示す。O2処理のstep時間が15sを超えるとマスクの倒れ角が急激に増えていくことがわかる。また、このときレジストマスクに働く応力の大きさと処理時間の関係を図13に示す。レジストマスクに働く応力は処理時間とともに徐々に増加して、15s付近でレジストの機械強度を越えていることがわかる。すなわち、レジストマスクに働く応力が材料の機械強度を越えて、マスクが塑性変形する前に応力緩和の処理を行うことでレジスト形状を垂直形状に戻すことができていることがわかる。
【００３９】
我々の研究によれば、このレジストマスクに働く応力の大きさに関しては、式１のような比例関係を有することがわかっている。したがって、今後の微細化が進みマスク幅wやマスク高さhが小さくなると、レジストマスクに働く応力が増大するため、より短い時間でのステップ切替えが必要になってくる。
【００４０】
σmax  ∝  ｔ×（２／ｈ  ＋１／ｗ  ＋１／５）  ・・・（１）
σmax：レジストマスクに働く最大応力
ｔ：処理時間
ｈ：マスク高さ
ｗ：マスク幅
以上の結果から、マスク倒れを起こさず、レジストマスクの縮小化するためには、縮小化処理と応力緩和の処理を交互に繰り返し、最終ステップを応力緩和処理で終えることに加えて、1回の縮小化処理のステップを短くする必要がある。
【００４１】
１回の縮小化処理の時間は100nmのラインアンドスペースの場合で15s以下であり、今後、レジストパターンの寸法が細くなった場合は、さらに短くする必要がある。また、レジスト寸法が時間とともに極端に微細になっていくような場合は、式１の応力が徐々に増大するため、縮小化処理のステップを時間と伴に短くするような処理も必要である。
【００４２】
一方、ガス切替の観点からすると、2ｓ以下では安定にガスを切り替えることができなくなるため、最低でも2s以上のステップ時間が必要である。また、検討の結果、縮小化処理の１ステップの時間を極端に短くするとレジストパターン側面のラフネスが増加することも分かっており、縮小化処理の１ステップの時間としてはある程度以上の時間が必要である。
【００４３】
本実施例ではレジストマスクの縮小化処理について説明したが、酸素、フッ素、窒素を含有するプラズマによって、レジストや他の有機材料のマスク有する試料を処理する場合であれば、例えばハードマスクやゲート電極のエッチングであっても同様の効果を有する。また、今回の処理ではレジストマスクに変質層を発生させるガスの例として、Ar希釈したO2ガスを用いたが、酸素、フッ素、窒素のいずれかの元素を含むガスであれば何でもよく、例えば、CO2、CO、SF6、CxHyFzのフロロカーボンガス、N2、NF3などが含まれていれば、同様の効果を有する。また、これらのガスに、希ガスや他の反応性ガスを混合したガスの場合、例えば、O2、Cl2、HBrとArの混合ガスや、C4F8、N2とArの混合ガス、O2とN2の混合ガスでも同様の効果を有する。
【００４４】
本実施例では、応力緩和処理のガスとしてArを用いたが、例えばHe,Ne,Kr,Xeなどの他の希ガスを用いた場合や、酸素、フッ素、窒素のいずれの元素も含まれない混合ガス、例えば、Cl2,HBrとArの混合ガスなどでも同様の効果がある。
【００４５】
本実施例では、マスク材料としてフォトレジストを用いたが、他の有機材料であれば、例えば、プラズマCVDや塗布で形成されるカーボン含有膜や、有機系の低誘電率材料などであっても同様の効果がある。
【００４６】
本実施例の処理を適用した場合、ラインアンドスペースパターンの最外周のように左右のスペース間隔の大きな場合でもレジスト倒れを生じず垂直な加工が可能である。したがって、従来はパターン疎密の影響を緩和するためにダミーパターンを形成する必要があったような場所でも、ダミーパターンなく加工できるため、効率的な回路パターンの設計が可能である。
【実施例２】
【００４７】
実施例１の装置において、コンピュータ25に処理条件の入力画面において、表4に示すように、ステップ時間、ガス流量、圧力、マイクロ波電力などの通常の処理条件とは別に、マスクの幅と高さ、および、マスク材料もしくはマスク材料の機械強度を入力する項を設けた。これらの条件を元に、実施例１に示した関係から応力緩和処理の最適周期を自動的に算出して、表5のような応力緩和処理を周期的に行う実際のレシピを内部で発生させて実行するようにした。これによって、プラズマ処理装置のユーザは、複雑な多段ステップのレシピを作成しなくてもレジスト倒れの少ない処理が可能となる。
【符号の説明】
【００４８】
１…シリコン基板上、２…酸窒化シリコン、３…多結晶シリコン、４…シリコン酸化膜、５…有機反射防止膜、６…レジスト膜、７…レジストマスク、４８…縮小化されたパターン、４４…ハードマスク、４３…ゲート電極、４９…硫黄系の保護膜、５０…変質層、５１…変質層、８…処理ガスライン、９…排ガスライン、１０…ガス貯め、１１…ガス導入用穴、１６…ガス供給ユニット、１７…プラズマ、１８…試料台、２０…減圧処理室、２１…試料、２２…ターボ分子ポンプ、２３…可変コンダクタンスバルブ、２４…キャパシタンスマノメータ、２５…コンピュータ、２５…コンピュータ、２６…誘電体窓、２７…光ファイバ、２８…分光システム、２９…バイアス用RF電源、３０…石英のぞき窓、５３…マグネトロン、５４…導波管、５５…空洞共振部、５６…コイル、５７…ガス貯めへのガス導入口、６０…背圧排気用のドライポンプ、６１…配管、１００…可変コンダクタンスバルブ（ピエゾバルブ）、１１５…ガス配管、１０１…ガスボンベ、１０２…MFC、１０３…バルブ、１０４…バルブ、１１１…ガスボンベ、１１２…MFC、１１３…バルブ、１１４…バルブ
【図１】
2010283095.tif 000003
【図２】
2010283095.tif 000004
【図３】
2010283095.tif 000005
【図４】
2010283095.tif 000006
【図５】
2010283095.tif 000007
【図６】
2010283095.tif 000008
【図７】
2010283095.tif 000009
【図８】
2010283095.tif 000010
【図９】
2010283095.tif 000011
【図１０】
2010283095.tif 000012
【図１１】
2010283095.tif 000013
【図１２】
2010283095.tif 000014
【図１３】
2010283095.tif 000015
【図１４】
2010283095.tif 000016
【図１５】
2010283095.tif 000017